(57)【要約】【課題】デジタル放送受信システムにおいてビデオ(映像)、オーディオ(音声)および制御情報の出力を早めることが可能なデータ処理装置、データ処理方法、およびプログラムを提供する。【解決手段】ビデオ、オーディオ、および制御情報としての字幕ストリーム中の全てのＡＵ(復号単位)に対して、それぞれのＡＵがシステムに到着する時刻とそれぞれのＡＵのＤＴＳ(リオーダリングのない場合はＰＴＳ）との差分値がある一定時間(Ｔmin)より大きいことが確認されているストリームにおいて、ビデオ、オーディオ、および制御情報としての字幕の出力時刻をＴminだけ早めて設定し、その出力時刻を信号Ｓ１５１，Ｓ１５２，Ｓ１５３により、ビデオ復号部１２０、オーディオ復号部１３０、および字幕復号部１４０に指示するシステム制御部１５０を有する。【選択図】図１
2009212696.tif 000002
【特許請求の範囲】
【請求項１】
受信したトランスポートストリームから映像、音声、および制御情報の符号化データ（ＥＳ）を分離する分離部と、
上記分離部で分離された映像ＥＳを復号単位（ＡＵ）で復号し、指示信号が指示する出力時刻に、復号した映像の出力処理を開始する映像復号部と、
上記分離部で分離された音声ＥＳをＡＵ単位で復号し、指示信号が指示する出力時刻に、復号した音声の出力処理を開始する音声復号部と、
上記分離部で分離された制御情報ＥＳをＡＵ単位で復号し、指示信号が指示する出力時刻に、復号した制御情報の出力処理を開始する制御情報復号部と、
映像、音声、および制御情報のストリーム中の全てのＡＵに対して、それぞれのＡＵがシステムに到着する時刻とそれぞれのＡＵの時刻情報との差分値がある一定時間(Ｔmin)より大きいことが確認されているストリームにおいて、映像、音声、および制御情報の出力時刻をＴminだけ早めて設定し、その出力時刻を上記指示信号により上記映像復号部、上記音声復号部、および上記制御情報復号部に指示するシステム制御部と
を有するデータ処理装置。
【請求項２】
上記システム制御部は、
放送局毎の上記時間Ｔminの値を保持し、視聴している放送局ごとに異なる時間Ｔminを用いて映像、音声、および制御情報の出力時刻を設定する
請求項１記載のデータ処理装置。
【請求項３】
放送局毎に一定期間ストリームを受信して、そのときの各ＡＵについてＡＵの到着時刻とＡＵの時刻情報との差分値を測定し、測定値の中で最小の値をその放送局の上記時間Ｔminとする差分測定部を含む
請求項１記載のデータ処理装置。
【請求項４】
放送局毎に一定期間ストリームを受信して、そのときの各ＡＵについてＡＵの到着時刻とＡＵの時刻情報との差分値を測定し、測定値の中で最小の値をその放送局の上記時間Ｔminとする差分測定部を含む
請求項２記載のデータ処理装置。
【請求項５】
視聴中にＡＵの到着時刻とＡＵの時刻情報との差分値を測定し、測定した値がシステムで保持していた時間Ｔminよりも小さい場合には、システムで保持するＴminの値を測定値で更新する差分測定部を有する
請求項１記載のデータ処理装置。
【請求項６】
視聴中にＡＵの到着時刻とＡＵの時刻情報との差分値を測定し、測定した値がシステムで保持していた時間Ｔminよりも小さい場合には、システムで保持する時間Ｔminの値を測定値で更新する差分測定部を有する
請求項２記載のデータ処理装置。
【請求項７】
上記差分測定部は、
視聴中にＡＵの到着時刻とＡＵの時刻情報との差分値を測定し、測定した値がシステムで保持していた時間Ｔminよりも小さい場合には、システムで保持する時間Ｔminの値を測定値で更新する
請求項３記載のデータ処理装置。
【請求項８】
上記差分測定部は、
視聴中にＡＵの到着時刻とＡＵの時刻情報との差分値を測定し、測定した値がシステムで保持していた時間Ｔminよりも小さい場合には、システムで保持する時間Ｔminの値を測定値で更新する
請求項４記載のデータ処理装置。
【請求項９】
受信トランスポートストリームから分離した映像、音声、および制御情報の符号化データ（ＥＳ）を復号部にて復号し、当該復号部にて指示される出力時刻に出力を開始するデータ処理方法であって、
映像、音声、および制御情報のストリーム中の全ての復号単位（ＡＵ）に対して、それぞれのＡＵがシステムに到着する時刻とそれぞれのＡＵの時刻情報との差分値がある一定時間(Ｔmin)より大きいことが確認されているストリームにおいて、映像、音声、および制御情報の出力時刻をＴminだけ早めて設定し、その出力時刻を上記復号部に指示する
データ処理方法。
【請求項１０】
放送局毎の上記時間Ｔminの値を保持し、視聴している放送局ごとに異なる時間Ｔminを用いて映像、音声、および制御情報の出力時刻を設定する
請求項９記載のデータ処理方法。
【請求項１１】
放送局毎に一定期間ストリームを受信して、そのときの各ＡＵについてＡＵの到着時刻とＡＵの時刻情報との差分値を測定し、測定値の中で最小の値をその放送局の上記時間Ｔminとする
請求項９記載のデータ処理装置。
【請求項１２】
視聴中にＡＵの到着時刻とＡＵの時刻情報との差分値を測定し、測定した値がシステムで保持していた時間Ｔminよりも小さい場合には、システムで保持する時間Ｔminの値を測定値で更新する
請求項９記載のデータ処理方法。
【請求項１３】
受信トランスポートストリームから分離した映像、音声、および制御情報の符号化データ（ＥＳ）を復号部にて復号し、当該復号部にて指示される出力時刻に出力を開始するデータ処理であって、
映像、音声、および制御情報のストリーム中の全ての復号単位（ＡＵ）に対して、それぞれのＡＵがシステムに到着する時刻とそれぞれのＡＵの時刻情報との差分値がある一定時間(Ｔmin)より大きいことが確認されているストリームにおいて、映像、音声、および制御情報の出力時刻をＴminだけ早めて設定し、その出力時刻を上記復号部に指示する
データ処理をコンピュータに実行させるプログラム。
【発明の詳細な説明】
【技術分野】
【０００１】
本発明は、デジタル放送受信システム等に適用可能なデータ処理装置、データ処理方法、およびプログラムに関するものである。
【背景技術】
【０００２】
デジタル放送システムにおいては、映像（Ｖｉｄｅｏ）、音声（Ａｕｄｉｏ）、および制御情報としての字幕(Ｃａｐｔｉｏｎ)の各データがパケット化され、多重化されたトランスポートストリームとして送信される。
そして、デジタル放送受信システムにおいては、受信したトランスポートストリームをストリームバッファにてバッファリングし、デマルチプレクサにてパケット化された受信データが、ビデオ（映像）、オーディオ（音声）、および制御情報としての字幕の各データに分離される。
分離された各データは、対応するビデオ（映像）復号部、オーディオ（音声）復号部、キャプシオン(字幕)復号部にて所定の復号処理を受けて復号される。
【０００３】
ところで、デジタル放送受信システムにおいては、ビデオ（映像）復号部、オーディオ（音声）復号部、キャプシオン(字幕)復号部における、ビデオ(映像)、オーディオ(音声)および字幕の出力時刻を、規格上最も遅くシステムに到着する復号単位（ＡＵ：Access Unit）に合わせて設定する。
【発明の開示】
【発明が解決しようとする課題】
【０００４】
たとえば、ＭＰＥＧ２-Ｓｙｓｔｅｍ(ISO/IEC 13818-1)では、ＡＵのシステムへの到着時刻とＡＵのＤＴＳ(Ｄｅｃｏｄｉｎｇ Ｔｉｍｅ Ｓｔａｍｐ：デコード時刻(復号時刻情報)、リオーダリングのない場合はＰＴＳ（Ｐｒｅｓｅｎｔａｉｏｎ Ｔｉｍｅ Ｓｔａｍｐ：同期用の提示時刻情報）との差分が０となることも許容している。
したがって、一般的には、ＤＴＳ時刻にＡＵが到着した場合にも対応できるように出力時刻を設定している。
【０００５】
しかし、この設定を行っているデジタル放送受信システムにおいては、たとえば電源投入時やチャンネルの切り替え時のビデオ(映像)、オーディオ(音声)および制御情報としての字幕の出力が遅れ気味にあることが懸念される。
【０００６】
本発明は、デジタル放送受信システムにおいてビデオ(映像)、オーディオ(音声)および制御情報の出力を早めることが可能なデータ処理装置、データ処理方法、およびプログラムを提供することにある。
【課題を解決するための手段】
【０００７】
本発明の第１の観点のデータ処理装置は、受信したトランスポートストリームから映像、音声、および制御情報の符号化データ（ＥＳ）を分離する分離部と、上記分離部で分離された映像ＥＳを復号単位（ＡＵ）で復号し、指示信号が指示する出力時刻に、復号した映像の出力処理を開始する映像復号部と、上記分離部で分離された音声ＥＳをＡＵ単位で復号し、指示信号が指示する出力時刻に、復号した音声の出力処理を開始する音声復号部と、上記分離部で分離された制御情報ＥＳをＡＵ単位で復号し、指示信号が指示する出力時刻に、復号した制御情報の出力処理を開始する制御情報復号部と、映像、音声、および制御情報のストリーム中の全てのＡＵに対して、それぞれのＡＵがシステムに到着する時刻とそれぞれのＡＵの時刻情報との差分値がある一定時間(Ｔmin)より大きいことが確認されているストリームにおいて、映像、音声、および制御情報の出力時刻をＴminだけ早めて設定し、その出力時刻を上記指示信号により上記映像復号部、上記音声復号部、および上記制御情報復号部に指示するシステム制御部とを有する。
【０００８】
好適には、上記システム制御部は、放送局毎の上記時間Ｔminの値を保持し、視聴している放送局ごとに異なる時間Ｔminを用いて映像、音声、および制御情報の出力時刻を設定する。
【０００９】
好適には、放送局毎に一定期間ストリームを受信して、そのときの各ＡＵについてＡＵの到着時刻とＡＵの時刻情報との差分値を測定し、測定値の中で最小の値をその放送局の上記時間Ｔminとする差分測定部を含む。
【００１０】
好適には、視聴中にＡＵの到着時刻とＡＵの時刻情報との差分値を測定し、測定した値がシステムで保持していた時間Ｔminよりも小さい場合には、システムで保持する時間Ｔminの値を測定値で更新する差分測定部を有する。
【００１１】
本発明の第２の観点は、受信トランスポートストリームから分離した映像、音声、および制御情報の符号化データ（ＥＳ）を復号部にて復号し、当該復号部にて指示される出力時刻に出力を開始するデータ処理方法であって、映像、音声、および制御情報のストリーム中の全ての復号単位（ＡＵ）に対して、それぞれのＡＵがシステムに到着する時刻とそれぞれのＡＵの時刻情報との差分値がある一定時間(Ｔmin)より大きいことが確認されているストリームにおいて、映像、音声、および制御情報の出力時刻をＴminだけ早めて設定し、その出力時刻を上記復号部に指示する。
【００１２】
本発明の第３の観点は、受信トランスポートストリームから分離した映像、音声、および制御情報の符号化データ（ＥＳ）を復号部にて復号し、当該復号部にて指示される出力時刻に出力を開始するデータ処理であって、映像、音声、および制御情報のストリーム中の全ての復号単位（ＡＵ）に対して、それぞれのＡＵがシステムに到着する時刻とそれぞれのＡＵの時刻情報との差分値がある一定時間(Ｔmin)より大きいことが確認されているストリームにおいて、映像、音声、および制御情報の出力時刻をＴminだけ早めて設定し、その出力時刻を上記復号部に指示するデータ処理をコンピュータに実行させるプログラムである。
【００１３】
本発明によれば、分離部において、受信したトランスポートストリームから映像、音声、および制御情報の符号化データ（ＥＳ）が分離され、それぞれ映像復号部、上記音声復号部、および制御情報復号部に出力される。
映像復号部では、分離部で分離された映像ＥＳがＡＵ単位で復号される。
音声復号部では、分離部で分離された音声ＥＳがＡＵ単位で復号される。
制御情報復号部では、分離で分離された制御情報ＥＳがＡＵ単位で復号される。
システム制御部においては、映像、音声、および制御情報のストリーム中の全てのＡＵに対して、それぞれのＡＵがシステムに到着する時刻とそれぞれのＡＵの時刻情報との差分値がある一定時間(Ｔmin)より大きいことが確認されているストリームにおいて、映像、音声、および制御情報の出力時刻が時間Ｔminだけ早めて設定され、その出力時刻が指示信号により映像復号部、音声復号部、および御情報復号部に指示される。
これにより、映像復号部では、指示された出力時刻に復号した映像の出力処理が開始される。
同様に、音声復号部では、指示された出力時刻に復号した音声の出力処理が開始される。
制御情報復号部では、指示された出力時刻に復号した制御情報の出力処理が開始される。
【発明の効果】
【００１４】
本発明によれば、デジタル放送受信システムにおいてビデオ(映像)、オーディオ(音声)および制御情報の出力を早めることができる。
【発明を実施するための最良の形態】
【００１５】
以下、本発明の実施形態を図面に関連付けて説明する。
【００１６】
図１は、本発明の実施形態に係るデータ処理装置としてのデジタル放送受信機の構成例を示すブロック図である。
図２は、本発明の実施形態に係るシステムと既存システムの復号データの出力時刻の設定を比較して示す図である。
【００１７】
本デジタル放送受信機１００は、多重分離部１１０、ビデオ（Ｖｉｄｅｏ）復号部１２０、オーディオ（Ａｕｄｉｏ）復号部１３０、制御情報としての字幕（Ｃａｐｔｉｏｎ）復号部１４０、システム制御部１５０、および差分測定部１６０を主構成要素として有している。
【００１８】
受信機１００においては、ビデオ（Ｖｉｄｅｏ）、オーディオ（Ａｕｄｉｏ）、および制御情報としての字幕(Ｃａｐｔｉｏｎ)の各データがパケット化され、多重化されたトランスポートストリーム（ＴＳ：Ｔｒａｎｓｐｏｒｔ Ｓｔｒｅａｍ)データを受信する。
【００１９】
多重分離部１１０は、受信したトランスポートストリームＴＳにおけるビデオ（映像）、オーディオ（音声）、および制御情報としての字幕の、パケット化された符号化データ（ＰＥＳ：Ｐａｃｋｅｔｉｚｅｄ Ｅｌｅｍｅｎｔａｒｙ Ｓｔｒｅａｍ)に分離する。
そして、多重分離部１１０は、ビデオＥＳ（Ｅｌｅｍｅｎｔａｒｙ Ｓｔｒｅａｍ）をビデオ復号部１２０に出力し、オーディオＥＳをオーディオ復号部１３０に出力し、字幕ＥＳを字幕復号部１４０に出力する。
【００２０】
ビデオ復号部１２０は、多重分離部１１０から出力されたビデオＥＳをＡＵ単位で復号し、システム制御部１５０におけるＡＶ同期制御部１５１による指示信号Ｓ１５１が指示する出力時刻に、復号したビデオ（映像）の出力処理を開始する。
【００２１】
オーディオ復号部１３０は、多重分離部１１０から出力されたオーディオＥＳをＡＵ単位で復号し、システム制御部１５０におけるＡＶ同期制御部１５１による指示信号Ｓ１５２が指示する出力時刻に、復号したオーディオ（音声）の出力処理を開始する。
【００２２】
字幕復号部１４０は、多重分離部１１０から出力された字幕ＥＳをＡＵ単位で復号し、システム制御部１５０におけるＡＶ同期制御部１５１による指示信号Ｓ１５３が指示する出力時刻に、復号した字幕の出力処理を開始する。
【００２３】
システム制御部１５０は、ビデオ（Ｖｉｄｅｏ）、オーディオ（Ａｕｄｉｏ）、および制御情報としての字幕(Ｃａｐｔｉｏｎ)ストリーム中の全てのＡＵ(Access Unit：復号単位)に対して、それぞれのＡＵがシステムに到着する時刻とそれぞれのＡＵのＤＴＳ(Decoding Time Stamp：デコード時刻、リオーダリングのない場合はＰＴＳ（Ｐｒｅｓｅｎｔａｉｏｎ Ｔｉｍｅ Ｓｔａｍｐ：同期用の提示時刻情報））との差分値がある一定時間(Ｔmin)より大きいことが確認されているストリームにおいて、図２に示すように、ビデオ（Ｖｉｄｅｏ）、オーディオ（Ａｕｄｉｏ）、および制御情報としての字幕(Ｃａｐｔｉｏｎ)の出力時刻をＴminだけ早めて設定し、その出力時刻を信号Ｓ１５１，Ｓ１５２，Ｓ１５３により、ビデオ復号部１２０、オーディオ復号部１３０、および字幕復号部１４０に指示する。
【００２４】
システム制御部１５０は、放送局毎の時間Ｔminの値を保持し、視聴している放送局ごとに異なるＴminを用いてビデオ（Ｖｉｄｅｏ）、オーディオ（Ａｕｄｉｏ）、および制御情報としての字幕(Ｃａｐｔｉｏｎ)の出力時刻を設定し、その出力時刻を信号Ｓ１５１，Ｓ１５２，Ｓ１５３として、ビデオ復号部１２０、オーディオ復号部１３０、および字幕復号部１４０に指示する機能を有する。
【００２５】
なお、図２においては、Ｔ１、Ｔ２はＡＵ到着から出力開始までのシステム処理時間(ワースト見積もり時間)を示している。
また、図２中、ＰＣＲ（Ｐｒｏｇｒａｍ Ｃｌｏｃｋ Ｒｅｆｅｒｅｎｃｅ）はプログラム時刻基準値を示す。
【００２６】
図３は、規格と運用時のＡＵの到着時刻を比較して示す図である。
【００２７】
図３に示すように、実運用上ではＡＵはＤＴＳよりも一定時間早く到着していることが確認できるため、ＤＴＳとＡＵの到着時刻との差分時間分出力時刻を早める余地がある。  そこで、本実施形態においては、出力時刻をＴminだけ早めに設定している。
【００２８】
本実施形態のシステム制御部１５０は、ＡＶ同期制御部１５１、およびデータベース部１５２を有する。
【００２９】
ＡＶ同期制御部１５１は、視聴中の放送局のＡＵ到着時刻とＤＴＳ時刻の差分の最小値Ｔminをデータベース部１５２から取得し、それを用いてＡＵの出力時刻を設定し、その出力時刻を信号Ｓ１５１，Ｓ１５２，Ｓ１５３として、ビデオ復号部１２０、オーディオ復号部１３０、および字幕復号部１４０に指示する。
【００３０】
データベース部１５２は、視聴中の放送局のＡＵ到着時刻とＤＴＳ時刻の差分の最小値Ｔminのデータを保持する。
データベース部１５２が保持するＡＵ到着時刻とＤＴＳ時刻の差分の最小値Ｔminは、差分測定部１６０により更新される。
【００３１】
差分測定部１６０は、たとえば多重分離部１１０の一部として配置され、基本的に、ビデオ（Ｖｉｄｅｏ）、オーディオ（Ａｕｄｉｏ）、および制御情報としての字幕(Ｃａｐｔｉｏｎ)のＡＵが到着する毎にそのＡＵの到着時刻とＤＴＳの差分値を計測し、システム制御部１５０のデータベース部１５２に保持されている値Ｔminよりも測定値が小さかった場合は、データベース部１５２の値を測定値で更新する。
【００３２】
差分測定部１６０は、放送局毎に一定期間ストリームを受信して、そのときの各ＡＵについてＡＵの到着時刻とＡＵのＤＴＳとの差分値を測定し、測定値の中で最小の値をその放送局の時間Ｔminとしてシステム制御部１５０のデータベース部１５２に格納する。
差分測定部１６０は、視聴中にＡＵの到着時刻とＡＵのＤＴＳとの差分値を測定し、測定した値がシステムで保持していた時間Ｔminよりも小さい場合には、システム制御部１５０のデータベース部１５２で保持する時間Ｔminの値を測定値で更新する。
【００３３】
図４は、本実施形態のＡＶ同期処理を説明するためのフローチャートである。
次に、上記構成による動作を図４に関連付けて説明する。
【００３４】
システムが受信したトランスポートストリームＴＳは多重分離部１１０でビデオＥＳ、オーディオＥＳ、および字幕ＥＳに分離され、それぞれビデオ復号部１２０、オーディオ復号部１３０、および字幕復号部１４０に出力される。
ビデオ復号部１２０、オーディオ復号部１３０、および字幕復号部１４０において、それぞれ多重分離部１１０から出力されたＥＳがＡＵ単位で復号される。
【００３５】
また、システム制御部１５０のＡＶ同期制御部１５１においては、視聴中の放送局のＡＵ到着時刻とＤＴＳ時刻の差分の最小値Ｔminがデータベース部１５２から取得される（ＳＴ１）。
ＡＶ同期制御部１５１では、取得した最小値Ｔminに基づいて出力時刻が導出され（ＳＴ２）、その出力時刻が信号Ｓ１５１，Ｓ１５２，Ｓ１５３により、ビデオ復号部１２０、オーディオ復号部１３０、および字幕復号部１４０に指示される(ＳＴ３)。
【００３６】
これにより、ビデオ復号部１２０においては、システム制御部１５０におけるＡＶ同期制御部１５１による指示信号Ｓ１５１が指示する出力時刻に、復号したビデオ（映像）の出力処理が開始される。
同様に、オーディオ復号部１３０においては、システム制御部１５０におけるＡＶ同期制御部１５１による指示信号Ｓ１５２が指示する出力時刻に、復号したオーディオ（音声）の出力処理が開始される。
字幕復号部１４０においては、システム制御部１５０におけるＡＶ同期制御部１５１による指示信号Ｓ１５３が指示する出力時刻に、復号した字幕の出力処理が開始される。
【００３７】
また、差分測定部１６０においては、ビデオ（Ｖｉｄｅｏ）、オーディオ（Ａｕｄｉｏ）、および制御情報としての字幕のＡＵが到着する毎にそのＡＵの到着時刻とＤＴＳの差分値が計測される。
そして、データベース部１５２に保持されている値Ｔminよりも測定値が小さかった場合は、データベース部１５２の値が測定値で更新される。
【００３８】
以上説明したように、本実施形態によれば、ビデオ、オーディオ、および制御情報としての字幕ストリーム中の全てのＡＵ(復号単位)に対して、それぞれのＡＵがシステムに到着する時刻とそれぞれのＡＵのＤＴＳ(リオーダリングのない場合はＰＴＳ）との差分値がある一定時間(Ｔmin)より大きいことが確認されているストリームにおいて、ビデオ、オーディオ、および制御情報としての字幕の出力時刻をＴminだけ早めて設定し、その出力時刻を信号Ｓ１５１，Ｓ１５２，Ｓ１５３により、ビデオ復号部１２０、オーディオ復号部１３０、および字幕復号部１４０に指示するシステム制御部１５０を有することから、以下の効果を得ることができる。
【００３９】
放送局毎のストリームのＡＵの到着時刻とＤＴＳの差分値分従来システムよりもＡＵの出力時刻を早く設定することができることから、たとえばデジタル放送受信システムの電源投入時やチャンネル切り替え時の音声および映像・字幕の出力を従来システムより早めることができる。
同様にして、デジタル放送受信システムにおけるチャンネル切り替え時の応答時間を従来システムよりも早めることができる。
【００４０】
また、本実施形態によれば、放送局毎に一定期間ストリームを受信して、そのときの各ＡＵについてＡＵの到着時刻とＡＵのＤＴＳとの差分値を測定し、測定値の中で最小の値をその放送局のＴminとしてシステム制御部１５０のデータベース部１５２に格納し、視聴中にＡＵの到着時刻とＡＵのＤＴＳとの差分値を測定し、測定した値がシステムで保持していたＴminよりも小さい場合には、システム制御部１５０のデータベース部１５２で保持するＴminの値を測定値で更新する差分測定部１６０を有することから、放送コンテンツに合致した出力時刻を的確に設定することができる。
【００４１】
なお、以上詳細に説明した方法は、上記手順に応じたプログラムとして形成し、ＣＰＵ等のコンピュータで実行するように構成することも可能である。
また、このようなプログラムは、半導体メモリ、磁気ディスク、光ディスク、フロッピー（登録商標）ディスク等の記録媒体、この記録媒体をセットしたコンピュータによりアクセスし上記プログラムを実行するように構成可能である。
【図面の簡単な説明】
【００４２】
【図１】本発明の実施形態に係るデータ処理装置としてのデジタル放送受信機の構成例を示すブロック図である。
【図２】本発明の実施形態に係るシステムと既存システムの復号データの出力時刻の設定を比較して示す図である。
【図３】規格と運用時のＡＵの到着時刻を比較して示す図である。
【図４】本実施形態のＡＶ同期処理を説明するためのフローチャートである。
【符号の説明】
【００４３】
１００・・・デジタル放送受信機、１１０・・・多重分離部、１２０、ビデオ（Ｖｉｄｅｏ）復号部、１３０・・・オーディオ（Ａｕｄｉｏ）復号部、１４０・・・字幕（Ｃａｐｔｉｏｎ）復号部、１５０・・・システム制御部、１５１・・・ＡＶ同期制御部、１５２・・・データベース部、１６０・・・差分測定部。
【図１】
2009212696.tif 000003
【図２】
2009212696.tif 000004
【図３】
2009212696.tif 000005
【図４】
2009212696.tif 000006